(57)【要約】【課題】一層の小型化・薄型化を促進し、アンテナとしての安定性をはかるとともに、設計の容易化をはかり開発工数の削減に寄与する。【解決手段】ループアンテナ７１と無線回路４５とを含む無線タグ（ＲＦＩＤ）を備え、電池６０が接続される電池端子６００が基板３０上に実装された電子機器であって、電池端子６００は、電池６０の接地端子６０ｂと、無線回路４５が実装される基板３０の接地端子３０ｂと、ループアンテナ７１の接地端子７１ｂとを繋ぐ接地端子接続構造を有する。【選択図】図７
2008301112.tif 000002
【特許請求の範囲】
【請求項１】
グランドと接続する第１の端子を有するアンテナと、
グランドパターンが形成された基板と、
電力を供給する端子の他に、グランドと接続する第２の端子を有する電池と、
前記基板に配され、前記第１の端子と前記第２の端子と前記グランドパターンを電気的に接続する接続手段を有する電池端子と
を備えることを特徴とする電子機器。
【請求項２】
前記接続手段とは、
前記第１の端子と接し、前記グランドパターンを電気的に接続する第１の接続部と、
前記第２の端子と接し、前記グランドパターンを電気的に接続する第２の接続部とで構成される
ことを特徴とする請求項１に記載の電子機器。
【請求項３】
前記第１の接続部は、前記電池端子を前記基板へ固定する固定部材である
ことを特徴とする請求項２に記載の電子機器。
【請求項４】
前記アンテナは、前記電子機器の外観を形成する筐体壁面の内側に前記基板の実装面に対向するように形成され、
前記第２の接続部は、前記筐体のアンテナ形成面に所定の間隔をおいて対向するように形成され、
前記第１の端子または前記第１の接続部は弾性を有し、
前記筐体のアンテナ形成面と前記第１の接続部との間に、前記所定の間隔を維持する為のスペーサが配され、
前記第１の接続部は前記第１の端子に対して筐体の外側方向の押圧弾性力を付与し、または、前記第１の端子は前記第１の接続部に対して前記基板の実装面側に押圧する弾性力を付与する
ことを特徴とする請求項２または３に記載の電子機器。
【請求項５】
前記第１の接続部は、
前記電池端子を前記基板へ２箇所で固定している
ことを特徴とする請求項３に記載の電子機器。
【請求項６】
前記アンテナは、電子回路と接続する第３の端子を更に有し、
当該第３の端子に接続し、前記基板に配される無線回路を備える電子機器において、
前記第３の端子と前記無線回路は、前記電池端子に配される第３の接続部を介して電気的に接続される
ことを特徴とする請求項１から５の何れか１項に記載の電子機器。
【請求項７】
前記第１の接続部は、
前記第１の端子と接する部分の面積が、当該第１の接続部の他の箇所に比して大きい
ことを特徴とする請求項６に記載の電子機器。
【請求項８】
基板と当該基板に取り付けられた電池端子からなる電池端子の実装体において、
当該電池端子は、
略直方体の形状をした非電導部材と、
前記非導電部材の有する面のうち、前記基板に実装される面である実装面の一部と、当該実装面に隣接する第１の面の一部を電気的に接続する、前記非導電部材の中を貫通して形成される第２の接続部と、
前記非導電部材の有する面のうち前記実装面と対向する第２の面と、前記基板とを電気的に接続する第１の接続部と、
からなることを特徴とする電池端子の実装体。
【発明の詳細な説明】
【技術分野】
【０００１】
本発明は、たとえばアンテナと無線回路とを含む無線タグを実装する、電子機器および電池端子の実装体に関する。
【背景技術】
【０００２】
情報通信技術の進歩により携帯電話等の電子機器の発展はめざましく、年々豊富な機能が付加され、市場を賑わしている。上記した携帯電話の中には、ＲＦＩＤ（Radio frequency Identifier）等の無線タグによる通信機能を備えた機種が存在する（たとえば、特許文献１参照）。上記した無線タグによる通信が可能な携帯電話は、ループアンテナが基板上に実装される無線回路（ＩＣチップ）に接続されるが、通常は、図１７に示されるように、コネクタ１６０を介して接続される。
【０００３】
ループアンテナ１１０は電磁誘導により生じる特定の周波数の電波を用いて情報の送受信を行う。したがって、データ通信の正確さを期すためには、ループアンテナ１１０のＬ成分およびＣ成分が精密でなければならない。具体的に、アンテナライン長が非常に重要な設計課題になる。
【０００４】
また、ループアンテナ１１０は、図１７に示されるように、２箇所有る端部のうちの一方が接地され、他方の端部が基板１２０上に実装される無線回路１３０に接続される。また、無線回路１３０において、基準となる接地は基板１２０として一番安定している接地導体（ＧＮＤ）が望ましく、電池１４０によって駆動される携帯電話では、電池１４０の接地導体が安定しているため電池１４０の接地される箇所に極力近付けられる事が好ましい。なお、電池１４０は、給電端子と接地端子とを有し、基板１２０上に実装された電池端子１５０に接続され、不図示の電池カバーにより覆われる。
【特許文献１】特開２００５−３１８２２９号公報
【発明の開示】
【発明が解決しようとする課題】
【０００５】
図１７に示す従来の携帯電話において、従来、ループアンテナ１１０を基板１２０上に実装された無線回路１３０に接続するためにはコネクタ１６０を要し、部品点数が増えるため、携帯電話の小型化、薄型化を妨げていた。
また、ループアンテナ１１０は、電磁誘導で生じる特定の周波数による電波（電磁波）を用いて情報の送受信を行うため、情報の送受信の精度は、ループアンテナ１１０のＬ成分、Ｃ成分に依存するところが大きい。
【０００６】
しかしながら、従来、小型化や薄型化に伴い、部品レイアウト等に制約があり、ループアンテナ１１０の接地端子と電池１４０の接地端子は距離をおいて実装されることが多く、基板１２０上の接地端子も配線と考えた場合、この距離によってアンテナ長が変化（Ｌ成分の増加）することになり、その調整に多くの時間を費やす設計上の不都合があった。
【０００７】
また、図１８に示されるように、ループアンテナ１１０は、携帯電話の筐体の一部を形成する電池１４０を覆う電池カバーやアンテナ基板（以下アンテナ基板という）１７０に形成されており、バネやピン接点１８０に圧力を加えることにより導通を採る構造を採用している。
このため、アンテナ基板１７０による圧力のかけ方が均一にならず、したがって、ループアンテナ１１０と無線回路１３０が実装される基板１２０との間の距離が変化することによる寄生容量の変化が考えられる。
【０００８】
本発明は、一層の小型化・薄型化を促進し、アンテナとしての安定性をはかるとともに、設計の容易化をはかり開発工数の削減に寄与することができる、電子機器および電池端子の実装体を提供することにある。
【課題を解決するための手段】
【０００９】
本発明の第１の観点の電子機器は、グランドと接続する第１の端子を有するアンテナと、グランドパターンが形成された基板と、電力を供給する端子の他に、グランドと接続する第２の端子を有する電池と、基板に配され、第１の端子と第２の端子とグランドパターンを電気的に接続する接続手段を有する電池端子とを備える。
【００１０】
好適には、接続手段とは、第１の端子と接し、グランドパターンを電気的に接続する第１の接続部と、第２の端子と接し、グランドパターンを電気的に接続する第２の接続部とで構成される。
【００１１】
好適には、第１の接続部は、電池端子を基板へ固定する固定部材である。
【００１２】
好適には、アンテナは、電子機器の外観を形成する筐体壁面の内側に基板の実装面に対向するように形成され、第２の接続部は、筐体のアンテナ形成面に所定の間隔をおいて対向するように形成され、第１の端子または第１の接続部は弾性を有し、筐体のアンテナ形成面と第１の接続部との間に、所定の間隔を維持する為のスペーサが配され、第１の接続部は第１の端子に対して筐体の外側方向の押圧弾性力を付与し、または、第１の端子は第１の接続部に対して基板の実装面側に押圧する弾性力を付与する。
【００１３】
好適には、第１の接続部は、電池端子を基板へ２箇所で固定している。
【００１４】
好適には、アンテナは、電子回路と接続する第３の端子を更に有し、第３の端子に接続し、基板に配される無線回路を備える電子機器において、第３の端子と無線回路は、電池端子に配される第３の接続部を介して電気的に接続される。
【００１５】
好適には、第１の接続部は、第１の端子と接する部分の面積が、第１の接続部の他の箇所に比して大きい。
【００１６】
本発明の第２の観点の電池端子の実装体は、基板と基板に取り付けられた電池端子からなる電池端子の実装体において、電池端子は、略直方体の形状をした非電導部材と、非導電部材の有する面のうち、基板に実装される面である実装面の一部と、実装面に隣接する第１の面の一部を電気的に接続する、非導電部材の中を貫通して形成される第２の接続部と、非導電部材の有する面のうち実装面と対向する第２の面と、基板とを電気的に接続する第１の接続部と、からなる。
【発明の効果】
【００１７】
本発明によれば、ループアンテナ専用のコネクタを不要とすることで一層の小型化・薄型化を促進し、アンテナとしての安定性をはかるとともに設計の容易化をはかった構造設計により開発工数の削減に寄与することができる、電子機器および電池端子の実装体を提供することができる。
【発明を実施するための最良の形態】
【００１８】
図１は、本発明の実施の形態に係る電子機器としての携帯電話１の外観を開状態で示す正面図であり、図２は、携帯電話１の外観を開状態で示す視点が側方寄りの斜視図であり、図３（ａ）は、携帯電話１の外観を閉状態で示す正面図であり、図３（ｂ）は、携帯電話１の外観を閉状態で示す背面図である。
【００１９】
携帯電話１は、いわゆる折り畳み式の筐体構造になっており、開状態と閉状態との間で互いに回動自在に連結された受話筐体２、および送話筐体３とを備えている。
受話筐体２および送話筐体３は、それぞれの端部が回動の中心となる連結部４により連結されることにより携帯電話１として全体の筐体を形成する。
受話筐体２および送話筐体３は、それぞれ概ね薄型直方体状に形成されており、閉状態では互いに重ね合わされ、一方の筐体側から他方の筐体側を見たときに互いの輪郭が略一致するようになっている。
【００２０】
また、受話筐体２は、閉状態で送話筐体３に対向する面側の正面側ケース６と、その背面側の背面側ケース７と、背面側ケース７の背面側に取り付けられるパネル８とを備えている。受話筐体２の閉状態で送話筐体３に対向する正面Ｓ１は正面側ケース６により構成され、その反対側の背面Ｓ２は背面側ケース７およびパネル８により構成されている。
正面側ケース６、背面側ケース７およびパネル８は、たとえば、非導電性の樹脂によりそれぞれ成形されている。
【００２１】
受話筐体２の正面Ｓ１には、通話用のスピーカ（不図示）の放音孔１２が開口している。受話筐体２には、正面Ｓ１に映像や文字を表示するメイン表示部１３（表示モニタ）と、背面Ｓ２に映像や文字を表示するサブ表示部１４（図３（ａ））とが設けられている。すなわち、閉状態にて隠れる位置にメイン表示部１３が、閉状態にしても隠れない位置にサブ表示部１４がそれぞれ設けられている。メイン表示部１３、およびサブ表示部１４は、たとえば、ＬＣＤ表示装置や、有機ＥＬ（Electro-Luminescence）表示装置などの表示デバイスにより構成される。
【００２２】
なお、パネル８は透光性を有しており、サブ表示部１４の保護カバーを兼ねている。さらに、パネル８の内側には背面Ｓ２側を撮影方向とするカメラ２０が配されている。
【００２３】
送話筐体３は、閉状態で受話筐体２に対向する面側の正面側ケース９と、その背面側に背面側ケース１０と、背面側ケース１０の背面側に被せられる蓋体１１とを備えている。送話筐体３の閉状態で受話筐体２に対向する正面Ｓ３は正面側ケース９により構成され、その反対側の背面Ｓ４は背面側ケース１０および蓋体１１により構成されている。正面側ケース９、背面側ケース１０および蓋体１１は、たとえば非導電性の樹脂によりそれぞれ成形されている。
【００２４】
また、送話筐体３内部には不図示のガイドに沿って電源手段としての電池６０が内蔵されており、当該電池６０は、電源筐体としての電池カバー７０により覆われている。電池カバー７０には、その周端部にラッチ８１が設けられており、電池６０の装着時にラッチ８１に対向する送話筐体３内部のガイド位置に形成された不図示の溝と係合することで電池６０が離脱することを防いでいる。
【００２５】
なお、図３（ｂ）に矢印Ａで示す方向に力を加え、ラッチ８１を解除することによって電池カバー７０が開き、電池６０を取り出すことができる。また、上記したラッチ８１と係合する溝の近傍には検知手段として不図示のマイクロスイッチが実装されており、このマイクロスイッチにより、電池６０の装着／離脱を検出できるようになっている。
【００２６】
また、上記した電池カバー７０の裏側には、金属導体をコイル状に配線したループアンテナ７１（特許請求の範囲におけるアンテナ）が内蔵封入され、あるいは貼付実装されており、後述するように、電池６０を筐体内に装着するときに電池カバー７０でバネやピン接点を押圧することにより、基板に実装される無線回路と導通をとる構造になっている。
なお、ループアンテナ７１としては、電池カバーだけではなく、筐体内側の電池端子実装量領域に対向する携帯電話の筐体の一部にアンテナ基板として形成することも可能である。
【００２７】
一方、送話筐体３の正面Ｓ３には通話用のマイクロフォン（不図示）の集音孔１６が開口し、背面Ｓ４では報知用スピーカ（不図示）に放音孔１７が外側へ向けて閉口している。送話筐体３には、正面Ｓ３に露出する各種キーを含む操作部１８が設けられている。各種キーとは、たとえばダイヤルキー１８ａ、カーソルキー１８ｂ、ファンクションキー１８ｃ、決定キー１８ｄである。また、送話筐体３には、背面Ｓ２側を撮影方向とするカメラ２０、背面Ｓ４側を送受信方向とする赤外線専用の赤外線通信部２１が設けられている。
【００２８】
連結部４は、受話筐体２の端部に切り欠き部２７が、送話筐体３の端部に突出部２８が形成され、切り吹き部２７に突出部２８が嵌合されて互いに回動自在に軸支され、構成されている。
切り欠き部２７および突出部２８は、たとえば、回転軸方向（図１の紙面左右方向）の幅が受話筐体２および送話筐体３の幅の半分程度の大きさに形成され、受話筐体２および送話筐体３の幅方向の中央に形成されている。突出部２８は、送話筐体３の正面Ｓ３から、閉状態において受話筐体２と対向する方向へ、受話筐体２の厚みと同程度の高さで突出している。
【００２９】
図４は、本発明の実施の形態にかかわる電子機器の信号処理系の構成の一例を示すブロック図である。ここでも電子機器として携帯電話１が例示されている。
【００３０】
携帯電話１は、図４に示されるように、受話筐体２と、送話筐体３とから成り、受話筐体２と送話筐体３とは、上記したように機械的には連結部４（ヒンジ機構）を介して接続され、電気的には第１のケーブルとしてのメインケーブル４３と、第２のケーブルとしてのカメラケーブル４４とにより接続される。これらメインケーブル４３、およびカメラケーブル４４は、ともに細線同軸ケーブルにより構成され、ともに切り欠き部２７から突出部２８内へ挿通するヒンジ軸受け内を通って送話筐体内と受話筐体内とを連結している。
【００３１】
細線同軸ケーブルは、同軸ケーブルの中でも比較的径が小さいものであり、たとえば、直径１ｍｍ以下である。最近では、直径０．３ｍｍ以下のものも知られ、ＦＰＣに比べて耐ノイズ性が高く、配線性および屈曲性に優れている。
【００３２】
受話筐体２には、メイン表示部１３と、サブ表示部１４と、カメラ２０と、スピーカ５０とが実装される。また、メイン表示部１３と、サブ表示部１４は、表示デバイスとしてＬＣＤが実装される。一方、送話筐体３は、基板３０と、ＴＶアンテナ３１と、送受信アンテナ３５と、マイク４２と、電池６０と、により構成される。基板３０上には、ＴＶチューナ３２と、画像復号部３３と、画像表示制御部３４と、通信処理部３６と、音声処理部３７と、主制御部３８と、キー入力処理部３９と、メモリ４０（主記憶部）と、スイッチ回路４１と、無線回路４５（ＲＦＩＤチップ）とが実装される。
【００３３】
主制御部３８は、たとえば、ＣＰＵ（不図示）により構成され、ＣＰＵがメモリ４０に記録されたプログラムを逐次読み出し実行することにより、ＴＶチューナ３２、画像復号部３３、画像表示制御部３４、通信処理部３６、音声処理部３７、キー入力処理部３９、無線回路４５等の各種周辺ＬＳＩを制御する。
主制御部３８は、受話筐体２と送話筐体３が開状態にあるときは画像表示制御部３４による画像表示をメイン表示部１３にて行わせ、閉状態を検出すると、テレビ放送の録画中を除き、画像表示制御部３４による画像の表示をメイン表示部１３からサブ表示部１４へ切り替える。
【００３４】
また、主制御部３８は、無線回路４５を介して不図示の無線タグリーダライタとの間で通信を行う。無線回路４５は、図５にその内部構成の一例が示されるように、ＲＦ（Radio Frequency）部４５１と、電源整流部４５２と、記憶部４５３と、ロジック部４５４とから構成されるＬＳＩであり、上記した電池カバー７０の裏面に内蔵封入され、あるいは貼付されたループアンテナ７１に接続される。この接続部の接続構造については後述する。
【００３５】
無線回路４５は、主制御部３８による制御の下、ループアンテナ７１を介し、たとえば、コンピニエンスストア等に設置される不図示の無線タグリーダライタとの間で電波通信を行なうことにより情報の交換を行なう。このことにより、たとえば、携帯電話１による電子決済が可能となり、携帯電話１をたとえば財布代わりに使用することができる。
また、携帯電話に無線タグリーダライタ機能を有している場合もあり、携帯端末同士の情報交換が可能である。
【００３６】
具体的に、無線回路４５は、ループアンテナ７１を介し不図示の無線タグリーダライタから電波を受信することによって生成される共振作用に基づく起電力により起動される（携帯電話１の電池６０の電力を使用しても良い）。
無線回路４５は、生成される起電力を電源整流部４５２が整流して無線回路４５が有する各構成ブロック４５１、４５３、４５４へ供給することにより、無線回路４５として動作させることができる。
また、不図示の無線タグリーダライタから供給されるリードライトコマンドは、ＲＦ部４５１で復調され、記憶部４５３に記憶されたデータは、ロジック部４５４により読み出され、更にＲＦ部４５１で変調され、ループアンテナ７１経由で不図示の無線タグリーダライタへ発信される。
【００３７】
ＴＶチューナ３２は、ＴＶアンテナ３１を介して受信される、たとえば、地上波デジタル放送波を中間周波数信号に変換して復調し、さらに、復調して得られる信号を、映像信号成分と音声信号成分に分離し、画像復号部３３、音声処理部３７のそれぞれに供給する。音声処理部３７は、入力される音声信号成分から音声信号を生成し、メインケーブル４３経由で受話筐体２のスピーカ５０へ出力する。
【００３８】
また、画像復号部３３は、入力される映像信号成分を復号化し、共通バス１００を介して画像表示制御部３４へ出力する。
【００３９】
画像表示制御部３４は、画像復号部３３により出力される復号信号を所定のフォーマットにしたがう画像データに変換し、メインケーブル４３を経由して受話筐体２のメイン表示部１３に出力する。
【００４０】
画像表示制御部３４は、カメラ２０により撮影され生成される撮像データをカメラケーブル４４、共通バス１００経由で取得し、所定のフォーマットに従う画像データに変換し、メインケーブル４３経由で受話筐体２のメイン表示部１３もしくはサブ表示部１４へ出力する。また、通信処理部３６は高周波回路を含み、電波を用いた無線通信を行うために、マイク４２を介して入力され音声処理部３７で処理された音声データを変調して送受信アンテナ３５を介し送信する。通信処理部３６はまた、送受信アンテナ３５を介して受信した信号を復調して音声処理部３７経由で受話筐体２のスピーカ５０に出力する。
【００４１】
キー入力処理部３９は、操作部１８に配置された各種キーからその入力情報を取得し、主制御部３８へ引き渡す。なお、配置される各種キーの中にはＴＶ放送の録画を指示する録画キーも含まれる。また各種キーの中にはメインケーブル４３経由で受話筐体２側にも配されていてもよい。さらに側面に配されるサイドキーも含まれる。
【００４２】
メモリ４０には、主制御部３８が実行するプログラムや、当該プログラムが参照するテーブル、あるいは作業領域として使用するデータ（表示データも含む）のそれぞれが格納される記憶領域が割り付けられている。
メモリ４０は、具体的には、不揮発性の記憶デバイス（不揮発性半導体メモリ、ハードディスク装置、光ディスク装置など）やランダムアクセス可能な記憶デバイス（たとえばＳＲＡＭ、ＤＲＡＭ）などによって構成されるものとする。
【００４３】
以下、図６〜図１６を参照しながら本発明の実施の形態に係る電子機器および電池端子の実装体について、実施例毎詳細に説明する。
【００４４】
（実施例１）
図６は、本発明の実施例１に係る電子機器にて使用される電池端子６００の端子構造を示す斜視図である。電池端子６００は、おおむねその外形は、長方体の形状をしており、後に述べる接続部以外は、樹脂などの非電導部材より成る。図６に示されるように、電池６０が有する給電端子と接地端子（第２の端子）が嵌合される電池端子６００は、特徴的には、自身を不図示の基板（図４の３０）に固定するために用いられる導伝体で構成されるアンカ６０１（第１の接続部）を天板になる位置まで延長し、その延長された一方の部位（天板６０１ｂ）を、ループアンテナ７１の他端７１ｂ（接地端子）（第１の端子）との接触面としたことにある。なお、この接触面は基板３０の接地端子（グランドパターン）３０ｂに接続される。
【００４５】
したがって、従来、ループアンテナ７１の接地端子を無線回路４５に接続するために必要とされていたコネクタ１６０は不要になる。なお、アンカ６０１を延長した他方の部位（天板６０１ａ）は、電池端子６００の給電端子６００ａに接続される。
【００４６】
図７に、基板３０とループアンテナの関係を示したレイアウト構成を示す。図７に示されるように、ループアンテナ７１の接続端子７１ａは、電池端子６００が基板３０に固定されるアンカ６０１の天板６０１ａ（第３の接続部）に、ループアンテナ７１のＧ接地端子７１ｂは、アンカ６０１の天板６０１ｂに接続される。
【００４７】
上記したように本発明の実施例１に係る電子機器および電池端子の実装体によれば、電池６０の接地端子と、無線回路４５が実装される基板３０の接地端子３０ｂと、ループアンテナ７１の接地端子７１ｂとを繋ぐ接地端子接続部構造（アンカ６０１の天板６０１ｂ）を設けることにより、電池端子６００がループアンテナ７１接地用のコネクタを兼ねるため、部品点数の削減を可能とし、実装スペースも削減できるため、携帯電話１等電子機器の小型化、薄型化に寄与することができる。
【００４８】
（実施例２）
図８、図９は、本発明の実施例２に係る電子機器にて使用される電池端子６００の端子構造を示す断面図であり、それぞれ、電池６０の装着前後における電池端子６００と、電池カバー７０の裏面に内蔵封入され、あるいは貼付実装されるループアンテナ７１との接続関係を示し、ともに、正面および横方向から見た断面構造を（ａ）（ｂ）に示す。
【００４９】
図８（ａ）（ｂ）に示されるように、ループアンテナ７１には、基板３０に実装された電池端子６００のアンカ６０１に接触させるための、バネ接点７２ａ、７２ｂが設けられているものとする。特徴的には、図９（ａ）（ｂ）に示されるように、電池６０を電池端子６００に嵌合して装着する際、電池端子６００のアンカ６０１の天板６０１ａ、６０１ｂに、電池カバー７０（裏面に内蔵封入あるいは貼付されるループアンテナ７１を含む）を押し当てた場合、バネ接点７２ａ、７２ｂは圧縮されるが、その圧縮（バネ厚みｘ）を一定とする、樹脂等比較的硬い素材で形成されるスペーサ７３を有することにある。スペーサ７３は、ここではループアンテナ７１が裏面に内蔵封入あるいは貼付される電池カバー７０に付属させるものとする。
【００５０】
すなわち、電池６０を電池端子６００に装着する時、ループアンテナ７１の接続端子７１ａおよび接地端子７１ｂは、それぞれバネ接点７２ａ、７２ｂを介して電池端子６００を基板３０に固定するアンカ６０１の天板６０１ａ、６０１ｂとそれぞれ接触している。また、このとき、バネ接点７２ａ、７２ｂは、ループアンテナ７１を装填することにより、いずれも圧力がかかるために圧縮するが、スペーサ７３の存在により、そのバネ厚みｘ、すなわち、電池カバー７０の裏面に内蔵封入されあるいは貼付実装されるループアンテナ７１の接続端子７１ａおよび接地端子７１ｂと、アンカ６０１の天板６０１ａ、６０１ｂとのそれぞれの間隔は一定に保たれる。
【００５１】
上記した本発明の実施例２に係る電子機器および電池端子の実装体によれば、スペーサ７３がループアンテナ７１と、アンカ６０１の天板６０１ａ、６０１ｂとの距離を一定に保つため、Ｃ成分の変動を防ぎ、アンテナの周波数ズレ発生を抑止することができる。
また、電池端子６００は、電池６０の接地端子６０ｂと基板３０の接地端子３０ｂとを繋ぐ第２の接続部（６０ｂ）と、ループアンテナ７１の接地端子７１ｂと、基板３０の接地端子３０ｂとを繋ぎ、電池６０を基板３０に固定するアンカ６０１を兼ねる第１の接続部（６０１ｂ）とを有することにより、ループアンテナ７１の接地端子７１ｂを、最も接地レベルが安定している電池６０の接地端子６０ｂに極力近づけて実装することが可能になるため、Ｌ成分の増加を防ぎ、したがって、周波数ずれを回避でき、ループアンテナ７１のアンテナ性能の向上がはかれる。更に、その実装位置により、外来ノイズが入り込む余地を極力減らすことができる。
【００５２】
なお、上記した本発明の実施例２に係る電子機器および電池端子の実装体によれば、バネ接点７２ａ、７２ｂ、およびスペーサ７３を、ループアンテナ７１側に付属させる構成としたが、ループアンテナ７１側に付属させる代わりに、電池端子６００側に付属させても同様の効果が得られる。
【００５３】
図１０（ａ）（ｂ）に、バネ接点７２ａ、７２ｂをアンカ６０１の天板６０１ａ、６０１ｂに設けた応用例が、図１１（ａ）（ｂ）に、スペーサ７３を電池端子６００側（アンカ６０１）に設けた応用例が、それぞれ示されている。
また、図１２（ａ）（ｂ）は、バネ接点７２ａ、７２ｂを、内部にバネを包含するピン７４で代替したものである。この場合、電池カバー７０により押圧された場合にピン長が変化する構造になる。
なお、図１０〜図１２において、（ａ）（ｂ）は、いずれも電池カバー７０装着前後のループアンテナ７１とアンカ６０１の天板６０１ａ、６０２ｂとの接続状態を示す。
【００５４】
なお、スペーサ７３は、上記した実施例２によれば、バネ接点７２ａ、７２ｂの間に１個の棒状の素材としたが、電池カバー７０の裏面に内蔵封入され、あるいは貼付実装されたループアンテナ７１と、電池端子６００との間を一定距離に保てるものであれば、その形状、および数量は問わない。
スペーサを２個（７３ａ、７３ｂ）使用した例を図１３、図１４のそれぞれに示す。図１３は、バネ接点使用例、図１４は、２個のピン接点７４ａ、７４ｂを使用した例である。
【００５５】
（実施例３）
図１６は、本発明の実施例３に係る電子機器にて使用される電池端子６００の平面構造を示す図である。ここでは、アンカ６０１は、電池端子６００の両端を基板の接地端子３０ｂへ固定し、更に、アンカ６０１の天板６０１ａ、６０１ｂを互い違いの段組み構成としたものである。
このことにより、ループアンテナ７１の接地端子７１ｂの実装位置が基板の接地端子実装位置と一層近づき、かつ、その接触面積が増えることにより、電気的接続を強固とし、接地電位としての一層の安定化がはかれる。
【００５６】
以上説明のように、本発明の電子機器および電池端子の接続構造によれば、電池端子６００を基板３０上に固定するアンカ６０１を電池端子６００の天板位置まで延長し、このことにより形成される２以上の天板（ここでは、６０１ａ、６０１ｂ）をループアンテナ７１のアンテナ端子とすることにより、電池６０の接地端子６０ｂと、ループアンテナ７１の接地端子とを近い位置に実装でき、このことにより、外来ノイズを受けにくくするとともに、アンテナ配線のばらつきによるＬ成分、Ｃ成分の変動を軽減することができる。また、ループアンテナ７１を無線回路４５に接続するためのコネクタを不要とし、このことにより、実装スペース削減にも効果がある。
【００５７】
更に、従来、電池カバー７０の裏面に内蔵封入され、あるいは貼付実装されるループアンテナ７１と、無線回路４５等が実装される基板３０との間をバネやピン等により接触させ、電池カバー７０を装着することにより、圧接固定していた。
この場合、電池カバー７０の精度や締め方等によってはループアンテナ７１とで電池端子６００とが対向する距離にばらつきがあって周波数ずれが発生し、周波数設計が困難になるという不都合があったが、ループアンテナ７１と電池端子６００との接触端子間を一定距離に保つスペーサ７３を設けることにより、その間の寄生容量を一定に保ち、周波数のバラツキを低減することができる。
【００５８】
また、バネ接点は、弾性を有する導電体であればよく、接続状態において、少なくともアンテナの接地端子に対して筐体の外側に押圧する弾性力を付与し、天板（第１の接続部）に対して基板の実装面側に押圧する弾性力を付与するものであればよい。
【００５９】
なお、アンカ６０１は基板３０に、リフロー炉を用いた半田付けや、ビスなどによって固定されてもよい。
なお、上記した本発明の実施の形態に係る電子機器によれば、電子機器として携帯電話１のみ例示したが、携帯電話１に限らず、ＰＤＡ（Personal Digital Assistants）、やゲーム機等の携帯端末全般に同様に適用が可能である。
【図面の簡単な説明】
【００６０】
【図１】本発明の実施の形態に係る電子機器の外観を開状態で示した正面図である。
【図２】本発明の実施の形態に係る電子機器の外観を開状態で示す視点が側方寄りの斜視図である。
【図３】本発明の実施の形態に係る電子機器の外観を閉状態で示す正面図および背面図である。
【図４】本発明の実施の形態に係る電子機器の信号処理系の構成の一例を示すブロック図である。
【図５】図４に示した無線回路の内部構成の一例を示すブロック図である。
【図６】本発明の実施例１に係る電子機器にて使用される電池端子の端子構造を示す斜視図である。
【図７】本発明の実施例１に係る電子機器にて使用される基板とループアンテナのレイアウト構成を示す図である。
【図８】本発明の実施例２に係る電子機器にて使用される電池端子の端子構造を示す断面図（１）である。
【図９】本発明の実施例２に係る電子機器にて使用される電池端子の端子構造を示す断面図（２）である。
【図１０】本発明の実施例２に係る電子機器にて使用される電池端子の端子構造を示す応用例（１）である。
【図１１】本発明の実施例２に係る電子機器にて使用される電池端子の端子構造を示す応用例（２）である。
【図１２】本発明の実施例２に係る電子機器にて使用される電池端子の端子構造を示す応用例（３）である。
【図１３】本発明の実施例２に係る電子機器にて使用される電池端子の端子構造を示す応用例（４）である。
【図１４】本発明の実施例２に係る電子機器にて使用される電池端子の端子構造を示す応用例（５）である。
【図１５】発明の実施例３に係る電子機器にて使用される電池端子の端子構造を示す断面図（１）である。
【図１６】発明の実施例３に係る電子機器にて使用される電池端子の端子構造を示す断面図（２）である。
【図１７】従来におけるＲＦＩＤ通信が可能な携帯電話のループアンテナ実装構造の一例を示す図である。
【図１８】従来におけるＲＦＩＤ通信が可能な携帯電話のループアンテナ実装構造の一例を示す図である。
【符号の説明】
【００６１】
１…携帯電話、２…受話筐体、３…送話筐体、３０…基板（３０ｂ…接地端子（グランドパターン））、３８…主制御部、４５…無線回路、６０…電池（６０ａ…給電端子、６０ｂ…接地端子（第２の端子））、７０…電池カバー（筐体壁面）、７１…ループアンテナ（７１ａ…接続端子（第３の端子）、７１ｂ…接地端子（第１の端子））、７２（７２ａ、７２ｂ）…バネ接点、７３（７３ａ、７３ｂ）…スペーサ、７４…ピン接点、６００…電池端子（６００ａ…給電端子、６００ｂ…接地端子（第２の接続部））、６０１…アンカ（６０１ａ…天板（第３の接続部）、６０１ｂ…天板（第１の接続部））。
【図１】
2008301112.tif 000003
【図２】
2008301112.tif 000004
【図３】
2008301112.tif 000005
【図４】
2008301112.tif 000006
【図５】
2008301112.tif 000007
【図６】
2008301112.tif 000008
【図７】
2008301112.tif 000009
【図８】
2008301112.tif 000010
【図９】
2008301112.tif 000011
【図１０】
2008301112.tif 000012
【図１１】
2008301112.tif 000013
【図１２】
2008301112.tif 000014
【図１３】
2008301112.tif 000015
【図１４】
2008301112.tif 000016
【図１５】
2008301112.tif 000017
【図１６】
2008301112.tif 000018
【図１７】
2008301112.tif 000019
【図１８】
2008301112.tif 000020